(57)【要約】【課題】本発明は、携帯電話などの携帯用端末に使用されるスピーカに関するものであり、機器の薄型化に対応してスピーカの薄型化を図ることを目的とするものである。【解決手段】本発明のスピーカは、ヨーク１ｂのボイスコイル６の接線方向に引き出されたコイル端末６ａ下に対応する部分近傍には切欠き部１ｃを設けたものであり、スピーカ駆動時において、ボイスコイル端末６ａは前記切欠き部１ｃ内およびこの上部に位置させたことで、振動板５とヨーク１ｂ間の間隔を小さくしてもコイル端末６ａは切欠き部１ｃ内およびまたはこの切欠き部１ｃ上方を上下してヨーク１ｂと衝突することはなく、異音の発生やボイスコイル６のコイル端末６ａの断線等の障害を危惧することなく薄型化したスピーカの提供を可能とするものである。【選択図】　図１
2004096670.tif 000002
【特許請求の範囲】
【請求項１】
底面を有する円筒状のヨークと、前記ヨーク底面に前記ヨークの円筒状の内壁に間隔を設けて配置された円柱状のマグネットと、このマグネット上に重畳され、前記ヨークの内壁との間で磁気ギャップを形成するプレートと、前記ヨークの外周に設けられたフレームと、外周に前記フレームと接着結合されるエッジ部を有する振動板と、この振動板の中央下部に一端が接着結合され、他端が前記磁気ギャップに嵌め込まれる略円筒状にコイル線が巻回されて形成されたボイスコイルとで構成されるスピーカであって、前記ボイスコイルの両端のコイル線が前記ヨークに設けられた切欠き部を介するかまたはその上部を通って前記フレームに設けられた外部導出端子に接続される構成としたスピーカ。
【請求項２】
ヨークに設けられた切欠き部が巻回されたコイル線の両端の接線上の略引き出し方向下に設けられている請求項１に記載のスピーカ。
【請求項３】
ヨークに磁束のバランス用切欠き部を設けた請求項１または請求項２に記載のスピーカ。
【発明の詳細な説明】
【０００１】
【発明の属する技術分野】
本発明は、携帯電話などの携帯用端末に使用されるスピーカに関するものである。
【０００２】
【従来の技術】
従来のスピーカを図４の断面図により説明する。同図によると、１は磁性材である鉄等からなる底面を有する円筒状のヨークであり、２はこのヨーク外周に圧入やインサートにより一体に形成される樹脂よりなるフレームであり、３は前記ヨーク１の底面にこのヨーク１の円筒状の内壁面１ａと一定間隔を設けて接着結合されたマグネットであり、４はこのマグネット３の上に接着結合され、前記ヨーク１の内壁面１ａとの間で磁気ギャップ４ａを形成するプレートである。
【０００３】
５は樹脂シートを成形してなる振動板であり、６はこの振動板５の中央下部に一端を接着固定し、他端を前記磁気ギャップ内に嵌め込んでなるボイスコイルである。
【０００４】
ボイスコイル６は熱融着層を表面に形成した絶縁被覆のコイル線を巻回後加熱して形成するものであり、その両端のコイル端末６ａは前記振動板５と前記ヨーク１の間から導出され、フレーム２に一体に形成された外部導出用端子（図示せず）の端部に半田付けにより接続されている。
【０００５】
上記構成によって、外部の信号音源から外部導出用端子を経てボイスコイル６に音声信号を入力し、ボイスコイル６と振動板５を上下動させて発音するものである。
【０００６】
なお、このようなヨーク１やマグネット３からなる磁気回路を用い、フレーム２と一体化したスピーカの構成は、例えば特許文献１にも見られるものである。
【０００７】
【特許文献１】
特開平４−３６２９００号公報
【０００８】
【発明が解決しようとする課題】
以上のように構成したスピーカは、携帯電話などの小型・薄型・大出力化の中でスピーカ自体の薄型化をすすめると、振動板５とヨーク１間から導出されたコイル端末６ａのスピーカ駆動時の振幅による振動板５やヨーク１との接触による異音の発生の可能性があるため、振動板５とヨーク１間の間隔を確保する必要から、スピーカ自体の薄型化には限界があった。
【０００９】
本発明は、振動板とヨーク間の間隔をより小さくすることを可能とすることで、より薄型化を図ったスピーカの提供を可能とするものである。
【００１０】
【課題を解決するための手段】
上記課題を解決するために、本発明の請求項１に記載のスピーカは、ボイスコイルの両端のコイル線をヨークに設けられた切欠き部を介するかまたはその上部を通ってフレームに設けられた外部導出端子に接続する構成としたものであり、この構成によって、ヨークに設けた切欠き部も含めて、スピーカ駆動時のボイスコイル端末のコイル線の振幅エリアとして利用できるので、ヨークと振動板間の間隔を小さくしてもコイル線と振動板やヨークとの振幅時の衝突を防止し、スピーカの薄型化に寄与できるものである。
【００１１】
本発明の請求項２に記載のスピーカは、請求項１のヨークの切欠き部を巻回されたコイル線の両端の接線上の略引き出し方向下に設けたものであり、特別な位置決め部分を形成することなく、容易にスピーカの組み立てが行えるものである。
【００１２】
本発明の請求項３に記載のスピーカは、請求項１または請求項２のヨークに設けた切欠き部に加え、バランス用切欠き部を設けたものであり、切欠き部によって生じたヨークとプレート間の磁束のアンバランスを補正し、スピーカ駆動時の振動板のローリングを抑制するものである。
【００１３】
【発明の実施の形態】
以下、本発明のスピーカの一実施の形態について図１から図３により説明する。なお、説明にあたっては従来技術と同一部分は同一番号を付し、説明を省略して説明する。
【００１４】
（実施の形態１）
図１は本発明のスピーカの断面図であり、図２は同要部であるボイスコイルとヨークの関係を示す上面図であり、主として請求項１および請求項２について説明するものである。
【００１５】
同図により相違点のみ説明すると、６は振動板５の中央下部に一端を接着固定し、他端を磁気ギャップ内に嵌め込んでなるボイスコイルであり、このボイスコイル６は熱融着層を表面に形成した絶縁被覆のコイル線を巻回後加熱して形成するものである。
【００１６】
なお、このコイル線のコイル端末６ａは巻回時の接線方向に引き出され、振動板５とヨーク１ｂ間を経てフレーム２に設けられた外部導出用端子（図示せず）に半田付け等により電気的に接続されている。
【００１７】
なお、上記有底面を有する円筒状のヨーク１ｂの円筒状の壁には上面から見て前記ボイスコイル６の接線方向に引き出されたコイル端末６ａ下に対応する部分近傍には切欠き部１ｃが設けられている。
【００１８】
上記構成によって、前記コイル端末６ａはスピーカ駆動時の上下動においても前記切欠き部１ｃ内およびまたはその上方に位置することになり、振動板５とヨーク１ｂとの間隔を小さくしても前記コイル端末６ａとヨーク１ｂとの間隔をこの切欠き部１ｃによって確保できるのでスピーカのより薄型化を可能とするものである。
【００１９】
（実施の形態２）
図３は本発明のスピーカの他の実施の形態の要部であるボイスコイルとヨークの関係を示す上面図であり、実施の形態１の特性向上を図るものであり、主として請求項３について説明するものである。
【００２０】
同図により実施の形態１との相違点のみ説明すると、１ｄはヨーク１ｂに追加して設けたバランス用切欠き部である。このバランス用切欠き部１ｄは切欠き部１ｃによって減じた磁束によってボイスコイル６を交差する磁束がアンバランスとなり振動板５が駆動時にローリングして振動板５がヨーク１ｂと衝突して異音を発生したり、極端な場合破損することをあえてバランス用切欠き部１ｄによって切欠き部１ｃと同様に部分的に磁束を減じてバランスを回復しようとするものである。
【００２１】
【発明の効果】
以上のように本発明のスピーカはボイスコイルから引き出されたボイスコイル端末が位置するか、または上方に位置する位置にヨークの切欠き部を設けたことにより薄型化したスピーカの提供を可能としたものである。
【図面の簡単な説明】
【図１】本発明の一実施の形態のスピーカの断面図
【図２】同要部であるボイスコイルとヨークの関係を示す上面図
【図３】本発明の他の実施の形態のスピーカの要部であるボイスコイルとヨークの関係を示す上面図
【図４】従来のスピーカの断面図
【符号の説明】
１ｂ　ヨーク
１ｃ　切欠き部
１ｄ　バランス用切欠き部
２　フレーム
３　マグネット
４　プレート
４ａ　磁気ギャップ
５　振動板
６　ボイスコイル
６ａ　コイル端末
【図１】
2004096670.tif 000003
【図２】
2004096670.tif 000004
【図３】
2004096670.tif 000005
【図４】
2004096670.tif 000006